(57)【要約】【課題】身体の股間に沿うように吸収コアを変形させ、漏れを低減できる使い捨ておむつを提供する。【解決手段】使い捨ておむつ(10)の股下域の吸収コアには、前後方向に延び、かつ幅方向に間隔を空けて配置された一対の低坪量部(33)と、一対の低坪量部間において周囲の領域よりも剛性が高い中央高剛性部(71)と、が設けられている。中央高剛性部の幅方向の長さをＡ、中央高剛性部と低坪量部との距離をＢとすると、Ａ＋Ｂ×２＞Ａを満たし、Ｂ×２＜Ａを満たす。【選択図】図２
2020025788.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、を有し、
前記股下域の前記吸収コアには、前記前後方向に延び、かつ前記幅方向に間隔を空けて配置された一対の低坪量部と、前記一対の低坪量部間において周囲の領域よりも剛性が高い高剛性部と、が設けられた使い捨ておむつであって、
前記高剛性部の前記幅方向の長さをＡ、前記高剛性部と前記低坪量部との距離をＢとすると、
前記Ａ＋前記Ｂ×２＞前記Ａを満たし、
前記Ｂ×２＜前記Ａを満たす、使い捨ておむつ。
【請求項２】
前記使い捨ておむつは、前記幅方向に延びる折り目を基点に、前記使い捨ておむつの肌面側どうしが向き合うように折り畳まれており、
前記高剛性部は、前記折り目を跨いでいる、請求項１に記載の使い捨ておむつ。
【請求項３】
前記股下域において前記前後方向に伸縮する一対の股下伸縮部を有し、
前記股下伸縮部は、前記高剛性部に対する前記幅方向の両方の外側に配置されている、請求項１又は請求項２に記載の使い捨ておむつ。
【請求項４】
前記股下伸縮部の少なくとも一部は、前記低坪量部と重なる領域に配置されている、請求項３に記載の使い捨ておむつ。
【請求項５】
前記股下伸縮部から前記幅方向に延びる領域内において、前記高剛性部が配置された重複領域を有し、
前記重複領域の前記前後方向の長さは、前記高剛性部の前記前後方向の長さに対する１／２以下である、請求項３又は請求項４に記載の使い捨ておむつ。
【請求項６】
前記低坪量部と前記吸収コアの外側縁との距離をＤとし、
前記吸収コアの外側縁間の長さをＥとすると、
前記Ｄ＞前記Ｅ／４を満たす、請求項１から請求項５のいずれか１項に記載の使い捨ておむつ。
【請求項７】
前記一対の低坪量部のうち一方である第１低坪量部と前記高剛性部との距離をＢ１とし、前記一対の低坪量部のうち他方である第２低坪量部と前記高剛性部との距離をＢ２とすると、
前記Ｂ１≠前記Ｂ２を満たす、請求項１から請求項６のいずれか１項に記載の使い捨ておむつ。
【請求項８】
前記高剛性部は、前記低坪量部によって挟まれた領域のみに配置されている、請求項１から請求項７のいずれか１項に記載の使い捨ておむつ。
【発明の詳細な説明】
【技術分野】
【０００１】
本発明は、股下域において前後方向に延びる一対の低坪量部と、一対の低坪量部間に設けられた高剛性部と、を有する使い捨ておむつに関する。
【背景技術】
【０００２】
股下域において前後方向に延びる一対の低坪量部としての溝状部と、一対の低坪量部間に設けられた高剛性部と、を有する使い捨ておむつが知られている（例えば、特許文献１参照）。溝状部は、吸収コアの変形基点となる。このように構成された使い捨ておむつの吸収コアは、着用時に前後方向に延びる溝状部を基点に変形し、厚さ方向に変形する。このとき、溝状部間に設けられた高剛性部は、溝状部を基点とした吸収コアの変形を維持しようとする（例えば、特許文献１の図４、段落００２０参照）。
【先行技術文献】
【特許文献】
【０００３】
【特許文献１】特開２０１８−４７２号公報
【発明の概要】
【発明が解決しようとする課題】
【０００４】
このように構成された使い捨ておむつが着用された状態では、溝状部が身体側に凸状に変形し、着用者の股間に対するフィット性が向上する。しかし、高剛性部は、一対の溝状部を跨ぐように設けられており、溝状部によって挟まれた全域の剛性を高めている。そのため、溝状部によって挟まれた領域が股間の幅方向の長さよりも長い場合には、股間に高剛性部が収まらず、脚に高剛性部があたって違和感が生じるおそれがあった。または、溝状部を基点とした凸状の変形を維持できず、身体に対する隙間が生じ、漏れが発生するおそれがあった。
【０００５】
よって、身体の股間に沿うように吸収コアを変形させ、漏れを低減できる使い捨ておむつが望まれる。
【課題を解決するための手段】
【０００６】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、を有し、前記股下域の前記吸収コアには、前記前後方向に延び、かつ前記幅方向に間隔を空けて配置された一対の低坪量部と、前記一対の低坪量部間において周囲の領域よりも剛性が高い高剛性部と、が設けられた使い捨ておむつであって、前記高剛性部の前記幅方向の長さをＡ、前記高剛性部と前記低坪量部との距離をＢとすると、前記Ａ＋前記Ｂ×２＞前記Ａを満たし、前記Ｂ×２＜前記Ａを満たす。
【図面の簡単な説明】
【０００７】
【図１】実施形態に係る使い捨ておむつの肌面側から見た平面図である。
【図２】実施形態に係る吸収コアの平面図である。
【図３】図１に示す使い捨ておむつのＡ−Ａ断面に沿った模式断面図である。
【図４】図１に示す使い捨ておむつのＢ−Ｂ断面に沿った模式断面図である。
【図５】使い捨ておむつのＡ−Ａ断面における装着状態を模式的に示した図である。
【図６】実施形態に係る使い捨ておむつの装着状態を模式的に示した図である。
【発明を実施するための形態】
【０００８】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、を有し、前記股下域の前記吸収コアには、前記前後方向に延び、かつ前記幅方向に間隔を空けて配置された一対の低坪量部と、前記一対の低坪量部間において周囲の領域よりも剛性が高い高剛性部と、が設けられた使い捨ておむつであって、前記高剛性部の前記幅方向の長さをＡ、前記高剛性部と前記低坪量部との距離をＢとすると、前記Ａ＋前記Ｂ×２＞前記Ａを満たし、前記Ｂ×２＜前記Ａを満たす。
【０００９】
本態様によれば、股下域の吸収コアは、着用時に前後方向に延びる低坪量部を基点に変形し、低坪量部が身体側に凸状に変形し易い。このとき、一対の低坪量部間の領域は、高剛性部によって剛性が高められ、身体に沿った状態を維持し易い。Ａ＋Ｂ×２＞Ａを満たすため、高剛性部と低坪量部の間に距離Ｂが設けられている。距離Ｂの領域は、高剛性部よりも変形し易い。低坪量部間の領域が股間に収まらない場合に、距離Ｂの領域が変形する。低坪量部を基点とした変形状態及び高剛性部が身体に沿った状態を維持し易くなり、身体に対する隙間を低減できる。加えて、低坪量部と高剛性部が繋がっていないため、低坪量部の内側縁及び高剛性部の外側縁では、幅方向に隣接する領域に対する剛性差が生じる。低坪量部の内側縁及び高剛性部の外側縁も変形基点となり、複数の基点で変形することで、吸収コアがより身体にフィットし易い。
【００１０】
加えて、Ｂ×２＜Ａを満たすため、低坪量部間の領域において高剛性部が占める割合は、距離Ｂが占める割合よりも高い。よって、低坪量部間において、身体に沿うように吸収コアを配置し、身体に対する隙間を低減できる。身体の股間に沿うように吸収コアを変形させることによって、漏れを低減できる。
【００１１】
好ましい一態様によれば、前記使い捨ておむつは、前記幅方向に延びる折り目を基点に、前記使い捨ておむつの肌面側どうしが向き合うように折り畳まれており、前記高剛性部は、前記折り目を跨いでよい。
【００１２】
本態様によれば、使い捨ておむつの折り目の近傍では、折り癖によって非肌面側に向かって凸状に変形し易い。高剛性部が折り目を跨ることにより、当該折り癖による変形を抑制し、身体側に対して凸状の変形を維持し易い。
【００１３】
好ましい一態様によれば、前記股下域において前記前後方向に伸縮する一対の股下伸縮部を有し、前記股下伸縮部は、前記高剛性部に対する前記幅方向の両方の外側に配置されてよい。
【００１４】
本態様によれば、股下伸縮部の収縮によって、高剛性部よりも幅方向の外側の領域を身体側に引き上げることができる。よって、低坪量部近傍が身体側に凸状に変形し易い。また、高剛性部は、股下伸縮部によって収縮し難い。よって、吸収面積を確保するとともに、股間に沿った凸形状を維持し、漏れを低減できる。
【００１５】
好ましい一態様によれば、前記股下伸縮部の少なくとも一部は、前記低坪量部と重なる領域に配置されてよい。
【００１６】
本態様によれば、股下伸縮部が低坪量部と重なることにより、股下伸縮部が収縮し易くなり、凸変形をより維持し易くなる。
【００１７】
好ましい一態様によれば、前記股下伸縮部から前記幅方向に延びる領域内において、前記高剛性部が配置された重複領域を有し、前記重複領域の前記前後方向の長さは、前記高剛性部の前記前後方向の長さに対する１／２以下であってよい。
【００１８】
本態様によれば、股下伸縮部の収縮によって高剛性部全体が収縮し難い。よって、吸収面積を確保するとともに、高剛性部が股間に沿った凸形状を維持し易く、漏れを低減できる。
【００１９】
好ましい一態様によれば、前記低坪量部と前記吸収コアの外側縁との距離をＤとし、前記吸収コアの外側縁間の長さをＥとすると、前記Ｄ＞Ｅ／４を満たしてよい。
【００２０】
本態様によれば、低坪量部を基点として身体側に凸状に変形すると、低坪量部よりも幅方向の外側の領域（距離Ｄの領域）は、凸状の変形を支持する領域となる。低坪量部よりも幅方向の外側の領域（距離Ｄの領域）は、吸収コアの幅方向の全域に対する１／４よりも長いため、凸状の変形を安定して支持し、凸形状を維持し易くなる。
【００２１】
好ましい一態様によれば、前記一対の低坪量部のうち一方である第１低坪量部と前記高剛性部との距離をＢ１とし、前記一対の低坪量部のうち他方である第２低坪量部と前記高剛性部との距離をＢ２とすると、前記Ｂ１≠前記Ｂ２を満たしてよい。
【００２２】
本態様によれば、第１低坪量部と高剛性部の距離Ｂ１と、第２低坪量部と高剛性部の距離Ｂ２と、が異なるため、左右両側から力が掛かった際に、距離Ｂ１の領域又は距離Ｂ２の領域の一方が先に変形する。そのため、左右両側から均等に高剛性部に力がかかり、高剛性部自体が折り曲がる不具合を抑制できる。よって、股間に沿うような凸形状を維持し、吸収面積を確保するとともに、漏れを低減できる。
【００２３】
好ましい一態様によれば、前記高剛性部は、前記低坪量部によって挟まれた領域のみに配置されてよい。
【００２４】
本態様によれば、低坪量部によって挟まれた領域のみに高剛性部が設けられているため、高剛性部は、身体側に凸状に変形した領域のみに配置される。高剛性部を股間に沿わせて面状に配置でき、股間に対するフィット性をより向上できる。
【００２５】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２６】
使い捨ておむつは、テープ型の使い捨ておむつであってもよいし、パンツ型の使い捨ておむつであってもよい。図１は、本実施形態に係る使い捨ておむつ１０の肌面側から見た平面図であり、図２は、実施形態に係る吸収コアを肌面側から見た平面図である。図１及び図２に示す平面図は、伸長状態の使い捨ておむつを示している。図３は、図１に示す使い捨ておむつのＡ−Ａ断面に沿った模式断面図である。図４は、図１に示す使い捨ておむつのＢ−Ｂ断面に沿った模式断面図である。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００２７】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００２８】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部が設けられた領域である。脚回り開口部は、使い捨ておむつの外側縁から幅方向の内側に凹む部分である。
【００２９】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側に配置されてよい。
【００３０】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザー６０を構成する。
【００３１】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００３２】
後胴回り域の外側部には、ファスニングテープ９１が設けられている。ファスニングテープ９１は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５（図５参照）に係合する。ターゲット部９５は、前胴回り域Ｓ１において幅方向に間隔を空けて配置されており、ファスニングテープ９１がそれぞれ止着するように構成されている。
【００３３】
裏面シート２３と吸収体３０の間には、インジケータ５１が配置されてよい。インジケータ５１は、前後方向Ｌに延び、かつ幅方向Ｗに間隔を空けて配置されてよい。インジケータ５１は、後述する低坪量部３３の間に配置されている。インジケータ５１は、吸収体が体液を吸収することによって変色し、使い捨ておむつ１０の非肌面側Ｔ２から体液の吸収状態を把握できるように構成されている。
【００３４】
使い捨ておむつ１０は、吸収コア３１よりも幅方向の外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００３５】
使い捨ておむつ１０は、使い捨ておむつの後端縁に沿って幅方向Ｗに延びる腰回り伸縮部４５を有してよい。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００３６】
使い捨ておむつ１０は、使用前の状態において、幅方向に延びる折り目を基点に、使い捨ておむつの肌面側どうしが向き合うように折り畳まれてよい。本実施の形態の使い捨ておむつの折り目ＦＬは、使い捨ておむつの前後方向の中心１０ＬＣに位置している。使い捨ておむつの折り目ＦＬは、使い捨ておむつを２つに折り畳むための折り線であってもよいし、使い捨ておむつを３つ以上に折り畳むための折り線であってもよい。使い捨ておむつを３つ以上に折り畳むための折り線では、使い捨ておむつの非肌面側が外側になるように折り畳むための折り線であればよい。
【００３７】
使い捨ておむつ１０は、股下域の吸収コア３１に重なる領域に設けられた一対の股下伸縮部４１を有してよい。股下伸縮部４１は、吸収コア３１よりも非肌面側に配置されている。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。よって、股下伸縮部４１の収縮によって、股下伸縮部４１と重なる領域の吸収コアが、吸収コアの幅方向の中心よりも身体側に引き上げられる。一対の股下伸縮部４１は、吸収コア３１の外側縁よりも幅方向の内側に位置してよい。一対の股下伸縮部４１間に位置する領域は、一対の股下伸縮部４１よりも幅方向の外側の領域に対して身体側に引き上げられる。よって、吸収コアの幅方向の中心が側部を基点として凸状に変形し、身体の股間に対するフィット性を確保できる。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。また、本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００３８】
股下伸縮部４１は、使い捨ておむつの前後方向の中心１０ＬＣを跨がってよい。股下伸縮部４１の収縮によって、使い捨ておむつの前後方向の中心１０ＬＣを身体側に引き上げることができる。特に、使用前に使い捨ておむつの肌面側どうしが向き合うように二つに折り畳まれた形態にあっては、折り畳みによる折り癖を引き上げることができる。なお、他の形態において、股下伸縮部４１は、使い捨ておむつの前後方向の中心１０ＬＣを跨がってなく、中心１０ＬＣよりも前側のみに配置されていてもよいし、中心１０ＬＣよりも後側のみに配置されていてもよい。
【００３９】
股下伸縮部４１は、吸収コア３１の外側縁よりも幅方向Ｗの内側に位置する。吸収コア３１の股下伸縮部４１よりも幅方向Ｗの外側には、股下伸縮部４１の収縮力が作用し難い領域が設けられる。図３において、吸収コア３１において股下伸縮部４１よりも外側に位置するサイド領域Ｒ３１と、サイド領域Ｒ３１の間の中央領域Ｒ３２と、を示す。サイド領域Ｒ３１は、最も幅方向Ｗの外側に位置する股下伸縮部４１よりも幅方向Ｗの外側に位置する領域である。中央領域Ｒ３２は、股下伸縮部４１と重なる領域及び股下伸縮部４１よりも幅方向Ｗの内側に位置する領域を合わせた領域である。中央領域Ｒ３２は、股下伸縮部４１の収縮によって、サイド領域Ｒ３１に対して身体側に引き上げられる。着用時の吸収コア３１の変形態様については、後述にて詳細に説明する。
【００４０】
また、本発明における防漏伸縮部４３、脚回り伸縮部４２、腰回り伸縮部４５、及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。
【００４１】
（３）吸収コアの構成
次いで、図２を参照し、吸収コア３１の構成について詳細に説明する。吸収コア３１は、吸収コア３１の最大幅３１Ｍよりも幅方向の長さが短い幅狭部３５と、幅狭部３５の前後方向の外側に配置された幅広部と、を有する。幅狭部３５は、前後に配置された幅広部の間に配置されている。幅狭部３５の幅方向の長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００４２】
吸収コア３１は、周囲の領域よりも吸収材料の坪量が低い低坪量部３３を有する。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００４３】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、着用状態で前後方向Ｌに延びる変形基点が形成され易い。低坪量部３３は、吸収材料の坪量が実質的に零の部分（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、より好適には、吸収コア３１の厚さ以上、８ｍｍ以下でよい。低坪量部３３の幅方向の長さが吸収コア３１の厚さ以上であることにより、低坪量部３３を基点に吸収コア３１が厚さ方向に変形し易くなる。また、低坪量部３３の幅方向の長さが８ｍｍ以下であることにより、低坪量部の幅方向の長さが長いことによる吸収性能に対する不安感を抑制できる。低坪量部３３の前後方向Ｌの長さは、３０ｍｍ以上１８０ｍｍ以下であってよい。
【００４４】
低坪量部３３は、幅方向Ｗに間隔を空けて一対で配置されている。低坪量部３３は、使い捨ておむつの幅方向の中心１０ＷＣの両側に、幅方向Ｗに間隔を空けて配置されてよい。低坪量部３３の前後方向Ｌの中心は、使い捨ておむつの前後方向Ｌの中心１０ＬＣよりも後側に配置されてよい。低坪量部３３の前端縁３３Ｆは、股下伸縮部４１の前端縁４１Ｆよりも前側に位置してよく、低坪量部３３の後端縁３３Ｒは、股下伸縮部４１の後端縁４１Ｒと一致又は後端縁４１Ｒよりも前側に位置してよい。低坪量部３３の外側縁は、股下伸縮部４１を構成する糸ゴムのうち幅方向の外側に位置する糸ゴムと幅方向において一致していてよく、低坪量部３３の内側縁は、股下伸縮部４１を構成する糸ゴムのうち幅方向の内側に位置する糸ゴムと幅方向において一致していてよい。
【００４５】
吸収コア３１は、周囲の領域よりも剛性が高い高剛性部７０を有してよい。高剛性部７０は、一対の股下伸縮部４１の間に配置された中央高剛性部７１と、股下伸縮部４１よりも後側に配置された後高剛性部７２と、股下伸縮部４１よりも前側に配置された前高剛性部７３と、を有してよい。中央高剛性部７１、後高剛性部７２及び前高剛性部７３は、それぞれ前後方向Ｌにおいて離間している。
【００４６】
高剛性部７０は、周囲の領域よりも曲げ剛性が高い領域である。高剛性部７０は、周囲の領域よりも目付が高い部分であってもよいし、吸収コア３１が厚さ方向に圧縮された部分であってもよい。本実施の形態の高剛性部７０は、吸収コア３１が圧縮された圧搾部が設けられた部分である。圧搾部は、少なくとも吸収コア３１を厚さ方向Ｔに圧搾することによって形成されていればよく、コアラップ３２等の他の部材と吸収コア３１とが圧搾されることによって形成されてもよい。
【００４７】
中央高剛性部７１は、一対の低坪量部３３間の領域に設けられている。中央高剛性部７１の前端縁７１Ｆは、低坪量部３３の前端縁３３Ｆと一致又は低坪量部３３の前端縁３３Ｆよりも後側に位置してよい。中央高剛性部７１の後端縁７１Ｒは、低坪量部３３の後端縁３３Ｒよりも前側に位置してよい。中央高剛性部７１の前後方向Ｌの中心は、低坪量部３３の前後方向Ｌの中心よりも前側に配置されてよい。中央高剛性部７１は、幅方向Ｗにおいて、低坪量部３３と間隔を空けて配置されてよい。中央高剛性部７１は、使い捨ておむつの中心１０ＬＣ及び使い捨ておむつの幅方向Ｗの中心１０ＷＣを跨がってよい。中央高剛性部７１は、本発明の「高剛性部」を構成する。図２に示すように、中央高剛性部７１の幅方向Ｗの長さをＡ、中央高剛性部７１と低坪量部３３との距離をＢとすると、Ａ＋Ｂ×２＞Ａを満たし、Ｂ×２＜Ａを満たしている。
【００４８】
股下伸縮部４１は、中央高剛性部７１の幅方向の中心よりも両側に位置し、中央高剛性部７１よりも後側に延出してよい。吸収コア３１は、中央高剛性部７１よりも後側において股下伸縮部４１が配置された第１領域Ｒ４１と、中央高剛性部７１と股下伸縮部４１が厚さ方向又は幅方向において重なった第２領域Ｒ４２と、股下伸縮部４１よりも前側において中央高剛性部７１が配置された第３領域Ｒ４３と、を有してよい。第１領域Ｒ４１と第２領域Ｒ４２は、前後方向Ｌにおいて隣接しており、第２領域Ｒ４２と第３領域Ｒ４３は、前後方向Ｌにおいて隣接している。第１領域Ｒ４１の後端縁は、股下伸縮部４１の後端縁４１Ｒと一致し、第１領域Ｒ４１の前端縁は、中央高剛性部７１の後端縁７１Ｒと一致する。第２領域Ｒ４２の後端縁は、第１領域Ｒ４１の前端縁と一致し、第２領域Ｒ４２の前端縁は、股下伸縮部４１の前端縁４１Ｆと一致する。第３領域Ｒ４３の後端縁は、第２領域Ｒ４２の前端縁と一致し、第３領域Ｒ４３の前端縁は、中央高剛性部７１の前端縁７１Ｆと一致する。
【００４９】
中央高剛性部７１は、折り目ＦＬを跨がずに配置されていてもよい。また、中央高剛性部７１の前端縁７１Ｆは、低坪量部３３の前端縁３３Ｆよりも前側に延出していてもよい。中央高剛性部７１は、前後方向に分離した複数の高剛性部の集合体であってもよい。複数の高剛性部の集合体が一体化して、中央高剛性部７１として機能してよい。複数の高剛性部の集合体からなる中央高剛性部７１は、集合体を構成する高剛性部が折り目を跨がずに配置されていてもよい。
【００５０】
後高剛性部７２は、低坪量部３３よりも後側に配置されてよい。後高剛性部７２の外側縁は、後側に向かって幅方向Ｗの外側に延びてよい。後高剛性部７２の前端縁の幅方向Ｗの長さは、中央高剛性部７１の幅方向Ｗの長さよりも長くてよい。後高剛性部７２は、使い捨ておむつの幅方向Ｗの中心１０ＷＣを跨がってよい。
【００５１】
前高剛性部７３は、低坪量部３３よりも前側に配置されてよい。前高剛性部７３は、使い捨ておむつの幅方向Ｗの中心１０ＷＣの両側に、幅方向Ｗに間隔を空けて配置されてよい。前高剛性部７３の前端縁は、幅方向Ｗの外側に向かって前側に延びてよい。
【００５２】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００５３】
（４）使い捨ておむつの着用状態
次いで、図５及び図６に基づいて、使い捨ておむつ１０の着用状態について説明する。図５は、使い捨ておむつのＡ−Ａ断面における着用状態を模式的に示した図である。図６は、実施形態に係る使い捨ておむつの装着状態を模式的に示した図であり、寝た状態の着用者を正面側から視認した図である。図５に示すラインＢＬは、着用者の身体のラインを示している。
【００５４】
使い捨ておむつが着用されると、装着時の引き上げや着用者の脚によって挟まれたりすることにより、股下域Ｓ３の吸収コア３１には肌面側Ｔ１及び幅方向Ｗの内側に向かう力がかかり、股下域Ｓ３の吸収コア３１は、着用時に前後方向Ｌに延びる低坪量部３３を基点に変形し、低坪量部３３が身体側に凸状になるように変形し易い。このとき、一対の低坪量部３３間の領域は、中央高剛性部７１によって剛性が高められ、身体に沿った状態を維持し易い。
【００５５】
このとき、中央高剛性部７１の幅方向Ｗの長さＡ＋（中央高剛性部７１と低坪量部３３との距離Ｂ×２）＞中央高剛性部７１の幅方向Ｗの長さＡを満たしており、中央高剛性部７１と低坪量部３３の間に距離Ｂが設けられている。距離Ｂの領域は、中央高剛性部７１よりも変形し易い。低坪量部間の領域が股間に収まらない場合に、距離Ｂの領域が変形する。低坪量部３３を基点とした凸状の変形状態及び中央高剛性部７１が身体に沿った状態を維持し易くなり、身体に対する隙間を低減できる。
【００５６】
加えて、低坪量部３３と中央高剛性部７１は、幅方向Ｗに間隔を空けており、連なっていない。そのため、低坪量部３３の内側縁及び中央高剛性部７１の外側縁７１Ｅでは、幅方向に隣接する領域に対する剛性差が生じる。低坪量部３３の内側縁及び中央高剛性部７１の外側縁も変形基点となり、複数の基点で変形することで、吸収コアがより身体にフィットし易い。より詳細には、図６に示すように、吸収コア３１は、低坪量部３３を基点に変形し、サイド領域Ｒ３１に対して中央領域Ｒ３２が身体側に凸状となる。更に、中央領域Ｒ３２においても、中央高剛性部７１の外側縁７１Ｅを境界として剛性が変化するため、中央高剛性部７１の外側縁７１Ｅを基点に変形し、距離Ｂの領域に対して中央高剛性部７１が配置された領域が身体側に凸状となる。
【００５７】
加えて、Ｂ×２＜Ａを満たすため、低坪量部３３間の領域において中央高剛性部７１が占める割合は、距離Ｂが占める割合よりも高い。よって、低坪量部３３間において、身体に沿うように吸収コア３１を配置し、身体に対する隙間を低減できる。身体の股間に沿うように吸収コア３１が変形することによって漏れを低減できる。
【００５８】
中央高剛性部７１は、使い捨ておむつ１０の肌面側どうしが向き合うように折り畳まれる折り目ＦＬを跨いでよい。使い捨ておむつ１０の折り目ＦＬの近傍では、折り癖によって非肌面側に向かって凸状に変形し易い。中央高剛性部７１が折り目ＦＬを跨っていることにより、当該折り癖による変形を抑制し、身体側に対して凸状の変形を維持し易い。
【００５９】
股下伸縮部４１は、中央高剛性部７１に対する幅方向Ｗの両方の外側に配置されてよい。股下伸縮部４１の収縮によって、中央高剛性部７１よりも幅方向Ｗの外側の領域を身体側に引き上げることができる。よって、低坪量部３３近傍が身体側に凸状に変形し易い。また、中央高剛性部７１は、股下伸縮部４１によって収縮し難い。よって、吸収面積を確保するとともに、股間に沿った凸形状を維持し、漏れを低減できる。
【００６０】
股下伸縮部４１の少なくとも一部は、低坪量部３３と重なる領域に配置されてよい。低坪量部３３は、周囲よりも剛性が低いため、股下伸縮部が低坪量部と重なることにより、股下伸縮部が収縮し易くなり、凸変形をより維持し易くなる。
【００６１】
股下伸縮部４１から幅方向Ｗに延びる第１領域Ｒ１内において、中央高剛性部７１が配置された重複領域Ｒ２を有し、重複領域Ｒ２の前後方向Ｌの長さは、中央高剛性部７１の前後方向の長さＬ７１に対する１／２以下であってよい。股下伸縮部４１の収縮によって中央高剛性部７１全体が収縮し難くなる。よって、吸収面積を確保するとともに、中央高剛性部７１が股間に沿った凸形状を維持し易く、漏れを低減できる。
【００６２】
また、テープ型の使い捨ておむつ１０を装着する際には、後胴回り域Ｓ２に臀部を載せ、股下域Ｓ３側におむつを引っ張り、股下域Ｓ３によって身体を覆う。このとき、使い捨ておむつ１０が前後方向Ｌに引っ張られることにより、股下伸縮部４１が前後方向に伸長する。股下伸縮部４１が伸長した状態で股下域Ｓ３を着用者の股間に対して当てようとすると、股下伸縮部４１の収縮によって股下伸縮部４１が配置された領域が身体に対して引き上げられる。このときの第１領域Ｒ４１から第３領域における変形は、第１領域Ｒ４１が最も身体側に引き上げられ、第１領域Ｒ４１の引き上げに伴って第２領域Ｒ４２及び第３領域Ｒ４３も身体側に引き上げられる。このとき、中央高剛性部７１の変形を「てこの原理」に置きかえると、第３領域Ｒ４３の前端縁が支点となる。股下伸縮部４１の収縮は、第２領域の全体に作用するため、作用点は、中央高剛性部７１の前後方向の中心（第２領域Ｒ４２と第３領域Ｒ４３を合わせた領域の前後方向の中心）となる。力点は、股下伸縮部４１が配置された領域であるため、第２領域Ｒ４２の前後方向の中心となる。第２種のてことして作用し、股下伸縮部４１の収縮によって、第３領域Ｒ４３の前端縁を基点として吸収コアが身体側に引き上げられる。
【００６３】
また、中央高剛性部７１の幅方向の中心よりも両側において股下伸縮部４１が配置されているため、中央高剛性部７１は、幅方向における一定の領域において身体側に引き上げられる。具体的には、股下伸縮部４１によって幅方向において挟まれた領域（本実施の形態の第２領域Ｒ４２）に配置された中央高剛性部７１は、股下伸縮部４１の収縮が直接作用し、身体側に引き上げられる。また、第３領域Ｒ４３では、中央高剛性部７１は、股下伸縮部４１の収縮力が直接作用せず、面状で股間に沿って配置され易い。
【００６４】
股下域において、中央高剛性部７１の一定の領域に亘って身体側に突出した凸形状に変形することにより、股下域の吸収コア３１が身体に沿って配置される。装着時に着用者の股間に吸収コア３１を適切に収めることができる。着用者の股間の適切な位置に使い捨ておむつを配置し、着用者の腹部を覆う位置まで前胴回り域を引っ張ることができる。よって、テープ型の使い捨ておむつにおいて、着用者の身体を適切に覆うことができる。
【００６５】
第１領域Ｒ４１の前後方向の長さは、第２領域Ｒ４２の前後方向の長さよりも長くてよい。第１領域Ｒ４１は、第２領域Ｒ４２よりも、股下伸縮部４１の収縮力によって吸収コア３１を身体側に引き上げ易い。第１領域Ｒ４１の前後方向の長さを確保することにより、第１領域Ｒ４１を身体側に引き上げるとともに当該第１領域Ｒ４１に伴って第２領域Ｒ４２も引き上げることができる。また、第１領域Ｒ４１の前後方向の長さを長くすることにより、作用点と力点との距離が長くなり、少ない股下伸縮部４１の収縮力によっても中央高剛性部７１を引き上げやすくなる。また、第１領域Ｒ４１の前後方向の長さを長くし、かつ第２領域Ｒ４２の長さを短くすることにより、力点と支点の距離が長くなり、少ない股下伸縮部４１の収縮力によっても中央高剛性部７１を引き上げやすくなる。
【００６６】
第３領域Ｒ４３の前後方向Ｌの長さは、第２領域Ｒ４２の前後方向Ｌの長さよりも長くてよい。第３領域Ｒ４３の前後方向の長さを確保し、身体に対して面状に配置される領域を確保し、股間に対するフィット性を向上できる。加えて、第３領域の前後方向の長さを確保することにより、身体側に引き上げられる領域が腹側まで形成され、身体に対して凸状の形状が腹側まで維持され、フィット性をより向上できる。
【００６７】
低坪量部３３と吸収コア３１の外側縁３１Ｅとの距離をＤとし、吸収コア３１の外側縁３１Ｅ間の長さをＥとすると、Ｄ＞Ｅ／４を満たしてよい。ここでいう吸収コア３１の外側縁３１Ｅとは、低坪量部３３から幅方向Ｗに延びる領域内における外側縁である。すなわち、低坪量部３３を通り、かつ幅方向Ｗに延びる直線上において、Ｄ＞Ｅ／４を満たしていればよい。
【００６８】
低坪量部３３を基点として身体側に凸状に変形すると、低坪量部３３よりも幅方向Ｗの外側の領域（距離Ｄの領域）は、凸状の変形を支持する領域となる。低坪量部３３よりも幅方向Ｗの外側の領域（距離Ｄの領域）は、吸収コア３１の幅方向Ｗの全域に対する１／４よりも長いため、凸状の変形を安定して支持し、凸形状を維持し易くなる。
【００６９】
一対の低坪量部３３のうち一方である第１低坪量部３３１と中央高剛性部７１との距離をＢ１とし、一対の低坪量部３３のうち他方である第２低坪量部３３２と中央高剛性部７１との距離をＢ２とすると、Ｂ１≠Ｂ２を満たしてよい。第１低坪量部３３１と中央高剛性部７１の距離Ｂ１と、第２低坪量部３３２と中央高剛性部７１の距離Ｂ２と、が異なるため、左右両側から力が掛かった際に、距離Ｂ１の領域又は距離Ｂ２の領域の一方が先に変形する。そのため、左右両側から均等に中央高剛性部に力がかかり、中央高剛性部自体が折り曲がる不具合を抑制できる。よって、股間に沿うような凸形状を維持し、吸収面積を確保するとともに、漏れを低減できる。
【００７０】
中央高剛性部７１は、低坪量部３３によって挟まれた領域のみに配置されてよい。すなわち、中央高剛性部７１の前端縁７１Ｆは、低坪量部３３の前端縁３３Ｆと一致又は低坪量部３３の前端縁３３Ｆよりも後側に位置し、中央高剛性部７１の後端縁７１Ｒは、低坪量部３３の後端縁３３Ｒと一致又は低坪量部３３の後端縁３３Ｒよりも前側に位置してよい。低坪量部３３によって挟まれた領域のみに中央高剛性部７１が設けられているため、中央高剛性部７１は、身体側に凸状に変形した領域のみに配置される。中央高剛性部７１を股間に沿わせて面状に配置でき、股間に対するフィット性をより向上できる。
【００７１】
中央高剛性部７１は、折り目ＦＬを跨いでよい。使い捨ておむつの折り目ＦＬの近傍では、折り癖によって非肌面側に向かって凸状に変形し易い。中央高剛性部７１が折り目ＦＬを跨ることにより、当該折り癖による変形を抑制し、身体側に対して凸状の変形を維持し易い。折り目ＦＬは、第２領域Ｒ４２又は第３領域Ｒ４３に配置される。第１領域Ｒ４１に折り目ＦＬが設けられていないため、折り目ＦＬよりも前側の領域が股下伸縮部４１の収縮によって折り目ＦＬに近づく側（身体から離れる側）に引っ張られることを抑制できる。よって、股下域を身体に沿わせることができ、装着時に着用者の股間に吸収コア３１を適切に収めることができる。
【００７２】
また、変形例において、中央高剛性部７１は、折り目ＦＬを跨いでいなくてもよい。中央高剛性部７１が折り目ＦＬを跨がないことにより、比較的剛性の高い中央高剛性部７１によって折り目による折り癖が付くことを抑制できる。よって、当該折り癖による変形を抑制し、身体側に対して凸状の変形を維持できる。
【００７３】
本実施の形態の折り目ＦＬは、第２領域Ｒ４２に設けられている。折り目ＦＬは、第２領域Ｒ４２において、第２領域Ｒ４２の前後方向の中心よりも後側に設けられてよい。折り目ＦＬは、第２領域Ｒ４２の前後方向の中心よりも後側に位置し、吸収コア３１の変形の支点となる第３領域Ｒ４３の前端縁から離れ、かつ作用点に近い位置に設けられている。よって、折り癖による変形を股下伸縮部４１の収縮によってより引き上げ易くなる。
【００７４】
変形例において、折り目ＦＬは、第３領域Ｒ４３に設けられてよい。股下伸縮部４１が折り目ＦＬを跨いで配置されないため、折り目ＦＬよりも前側の領域が股下伸縮部４１の収縮によって折り目ＦＬに近づく側（身体から離れる側）に引っ張られることを抑制できる。よって、股下域を身体に沿わせることができ、装着時に着用者の股間に吸収コア３１を適切に収めることができる。
【００７５】
低坪量部３３の前後方向Ｌの中心は、使い捨ておむつ１０の前後方向Ｌの中心１０ＬＣよりも後側に配置されてよい。低坪量部３３が後側に偏倚しているため、低坪量部３３を基点とした変形を臀部側に設けることができる。
【００７６】
股下伸縮部４１から幅方向Ｗの外側に延びる延長線上に脚回り伸縮部４２配置されてもよい。脚回り伸縮部が身体にフィットした状態で吸収コア３１が変形することにより、中央領域Ｒ３２がサイド領域Ｒ３１に対してより立ち上がり易くなる。股下伸縮部４１の収縮によって吸収コア３１がより着用者側に引き上げられ易くなる。
【００７７】
脚回り伸縮部４２は、後側に向かって幅方向Ｗの外側に向かって延びてよい。後側に向かって幅方向Ｗの外側に向かって延びる脚回り伸縮部が身体に密着することにより、着用者の臀部を使い捨ておむつで覆うことができる。後側に向かって広い範囲で臀部を覆った状態で、股下域に向けて吸収コア３１の幅方向Ｗの長さが短くなるように吸収コア３１を変形できる。着用者の股間に吸収コア３１を適切に収めつつ、使い捨ておむつによって身体全体を覆い、漏れを抑制できる。
【００７８】
本明細書における「吸収コアの坪量」の測定は、以下の測定方法によって行われるものとする。使い捨ておむつ１０がパッケージなどに封入されている場合には、パッケージから取り出し、その状態にて20℃±2℃、相対湿度60％±5％RHの雰囲気下において12時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【００７９】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、30ｍｍ、前後方向の長さは、25ｍｍとすることができる。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００８１】
本発明によれば、身体の股間に沿うように吸収コアを変形させ、漏れを低減できる使い捨ておむつを提供できる。
【符号の説明】
【００８２】
１０    使い捨ておむつ
１０ＬＣ  ：おむつの前後方向の中心
１０ＷＣ  ：おむつの幅方向の中心
２１    表面シート
２２    サイドシート
２３    裏面シート
２４    外装シート
３０    吸収体
３１    吸収コア
３２    コアラップ
３３    低坪量部
３５    幅狭部
４１    股下伸縮部
４２    脚回り伸縮部
４３    防漏伸縮部
４５    腰回り伸縮部
５１    インジケータ
７１    中央高剛性部
７２    後高剛性部
７３    前高剛性部
９１    ファスニングテープ
９２    ベース部
９３    係合部
９５    ターゲット部
Ｓ１    ：前胴回り域
Ｓ２    ：後胴回り域
Ｓ３    ：股下域
Ｔ      ：厚さ方向
Ｔ１    ：肌面側
Ｔ２    ：非肌面側
Ｌ      前後方向
Ｗ      ：幅方向
【図１】
2020025788.tif 000003
【図２】
2020025788.tif 000004
【図３】
2020025788.tif 000005
【図４】
2020025788.tif 000006
【図５】
2020025788.tif 000007
【図６】
2020025788.tif 000008